(57)【要約】【課題】迅速に組み立てられ、各種建築、壁板、床板、屋根、コンテナ等に応用でき、その建築物に音、温度、電気、湿気、水分を隔離する効果を達することができる、組立式ボードの組み立て方法の提供。【解決手段】本発明の組立式ボードの組み立て方法は、主に建築面上または枠体面上に複数のＣ型板を設置し、前記Ｃ型板は表面が設けられ、かつ少なくとも１つのＣ字形ポケット部、Ｊ字形係合部を備え、前記Ｃ字形ポケット部と前記Ｊ字形係合部の間に凹型スペースが形成され、前記Ｃ字形ポケット部と前記Ｊ字形係合部により前記Ｃ型板と前記建築面または枠体面に高度差を形成し、かつ前記凹型スペースと前記建築面または枠体面の間に気密室を形成し、音、温度、電気、湿気、水分を隔離する効果を達することができる。【選択図】図１
2011001687.tif 000002
【特許請求の範囲】
【請求項１】
組立式ボードの組み立て方法であって、主に建築面または枠体面上に組み立てた複数のＣ型板を設置し、各Ｃ型板が少なくとも１つの表面、Ｃ字形ポケット部、Ｊ字形係合部を備え、前記Ｃ字形ポケット部と前記Ｊ字形係合部が前記表面両側の下方に設けられ、かつ凹型スペースが形成され、前記Ｃ型板と前記建築面または枠体面の間に高度差を形成し、前記凹型スペースと前記建築面または枠体面の間に気密室を形成したことを特徴とする、組立式ボードの組み立て方法。
【請求項２】
前記Ｃ字形ポケット部の形状が、Ｃ字形、Ｏ字形、三角形のいずれかから選択されることを特徴とする、請求項１に記載の組立式ボードの組み立て方法。
【請求項３】
前記Ｃ字形ポケット部が、前記表面との間で開口角度を形成し、前記開口角度が前記Ｃ字形ポケット部と前記表面の間の挟角であることを特徴とする、請求項１に記載の組立式ボードの組み立て方法。
【請求項４】
前記挟角が０、４５、９０、１３５、１８０度のいずれかであることを特徴とする、請求項３に記載の組立式ボードの組み立て方法。
【請求項５】
前記Ｃ型板の表面が粗い表面であることを特徴とする、請求項１に記載の組立式ボードの組み立て方法。
【請求項６】
前記Ｃ型板の表面が光沢表面であることを特徴とする、請求項１に記載の組立式ボードの組み立て方法。
【請求項７】
前記Ｃ型板が固定部材で前記建築面または枠体面上に固定されたことを特徴とする、請求項１に記載の組立式ボードの組み立て方法。
【請求項８】
前記Ｃ型板が粘着物で前記建築面または枠体面上に固定されたことを特徴とする、請求項１に記載の組立式ボードの組み立て方法。
【請求項９】
前記固定部材がネジまたは釘とすることができることを特徴とする、請求項７に記載の組立式ボードの組み立て方法。
【発明の詳細な説明】
【技術分野】
【０００１】
本発明は組立式ボードの組み立て方法に関し、主に各種建築、床板、壁板、屋根、コンテナ等に応用でき、音、温度、電気、湿気、水分を隔離する効果を備えた、組立式ボードの組み立て方法に関する。
【背景技術】
【０００２】
現在一般の建築物は音、温度、電気、湿気、水分等を隔離する効果を達するため、通常壁面上に絶縁床板を設置したり、防水塗料を塗布したり、防音材を設置したりして防音、断熱、防水等の効果を達しているが、上述のどの方式でも使用者のニーズに従って異なる材料や異なる取り付け方式を選択し、その効果を達する必要がある。
【０００３】
このため、往々にして施工コストの増加を招き、内装や建築費用画像化してしまい、かつ各種異なる取り付け方式や材料は、各種建築物の違いを考慮してさまざまな変化が必要であり、各種施工方式すべてが多様な建築物上に応用できるわけではない。
【０００４】
従って、いかに音、温度、電気、湿気、水分等を隔離する効果を達し、かつ壁板、床板、屋根、コンテナ等の各種異なる建築物上に適用できる組み立て方法を得るかが本発明によって解決を図る問題である。
【発明の概要】
【発明が解決しようとする課題】
【０００５】
本発明の発明者は上述の問題の解決の必要性に鑑みみて、関連製品の研究、設計、製造等に従事した豊富な経験に基づき、積極的に心血と精力を注いで研究と創作を重ね、度重なる試験、検査を経てついに本発明の組立式ボードの組み立て方法の開発に成功した。
【０００６】
本発明の主な目的は、迅速に組み立てられ、各種建築、壁板、床板、屋根、コンテナ等に応用でき、その建築物に音、温度、電気、湿気、水分を隔離する効果を達することができる、組立式ボードの組み立て方法を提供することにある。
【課題を解決するための手段】
【０００７】
上述の目的を達するため、本発明の組立式ボードの組み立て方法は、主に各種建物または枠体のいずれか一面上に複数のＣ型板を設置し、前記Ｃ型板は少なくとも１つの表面、Ｃ字形ポケット部、Ｊ字形係合部を備え、かつ前記Ｃ字形ポケット部とＪ字形係合部が前記表面両側の下方に設けられ、前記Ｃ字形ポケット部と前記Ｊ字形係合部により前記Ｃ型板と前記建築面または枠体面に高度差を形成し、かつ前記Ｃ型板は前記Ｃ字形ポケット部と前記Ｊ字形係合部の間に少なくとも１つの凹型スペースを備え、同時に前記凹型スペースと前記建築面または枠体面の間に気密室を形成し、音、温度、電気、湿気、水分を隔離する効果を達することができる。
【発明の効果】
【０００８】
本発明の組立式ボードの組み立て方法は、複数のＣ型板の組み合わせを利用し、一般の建築物の柱体に応用できるほか、各種壁面、床板、屋根、造船コンテナ、冷凍コンテナなどを構成することもでき、かつその建築物の音、温度、電気、湿気、水分を隔離する効果を達することができる。
【図面の簡単な説明】
【０００９】
【図１】本発明の第１の組立方法を示す断面図である。
【図２】本発明の第２の組立方法を示す断面図である。
【図３】本発明の第３の組立方法を示す立体図である。
【図４】本発明の第３の組立方法を示す平面図である。
【図５】本発明の第３の組立方法を示す部分拡大図である。
【発明を実施するための形態】
【００１０】
本発明の内容と、その達成できる効果についてより理解を促すため、以下図面に基づき詳細に説明する。
【００１１】
本発明の組立式ボードの組み立て方法は、図１に示すように、複数のＣ型板１０が建築面または枠体面２０上に設置され、前記Ｃ型板１０は表面１１、Ｃ字形ポケット部１２、Ｊ字形係合部１３を備えており、そのうち、前記表面１１は粗い表面または光沢表面とすることができ、前記Ｃ字形ポケット部１２と前記Ｊ字形係合部１３は前記表面１１両側の下方に設けられ、かつ前記Ｃ字形ポケット部１１と前記Ｊ字形係合部１３の間に凹型スペース１４を形成する。
【００１２】
本実施例において、図１に示すように、２つのＣ型板１０を使用して前記建築面または枠体面２０上に取り付けるとき、前方のＣ型板１０下方のＪ字形係合部１３を後方のＣ型板１０のＣ字形ポケット部１２中に固定し、前記２つのＣ型板１０を固定部材または粘着物で前記建築面または枠体面（本実施例においては図示しない）上に固定することができ、そのうち、前記固定部材はネジや釘とすることができ、前記粘着物は接着剤とすることができる。
【００１３】
これにより、前記Ｃ型板１０を前記建築面または枠体面２０上に固定するとき、前記Ｃ字形ポケット部１２と前記Ｊ字形係合部１３の間を利用して前記表面１１と前記建築面または枠体面２０に高度差を形成し、前記Ｃ字形ポケット部１２と前記Ｊ字形係合部１３間が形成する前記凹型スペース１４が前記建築面または枠体面２０と気密室を構成し、この気密室の形成によって音、温度、電気、湿気、水分を隔離する効果を達することができる。
【００１４】
また、図２に示すように、そのうち前記Ｃ型板のＣ字形ポケット部と表面間の挟角は、開口角度を０、４５、９０、１３５、１８０度のうちから１つ選択することができ、図に示すように、前方Ｃ型板１０’の前部Ｃ字形ポケット部１２’の開口角度を０度とし、後方Ｃ型板１０”の後部Ｃ字形ポケット部１２”の開口角度を４５度とすることで、前部Ｊ字形係合部１３’を利用して前記前方Ｃ型板１０’を前記後方Ｃ型板１０”の後部Ｃ字形ポケット部１２”上に固定すると、前記前方Ｃ型板１０’と前記後方Ｃ型板１０”間に一定角度の折れ曲がりを形成することができるため、前記前方Ｃ型板１０’と前記後方Ｃ型板１０”を非平面の建築面または枠体面２０上に取り付けることができ、この組立式ボードの応用性をより広範にすることができる。当然、上述の開口角度は単に本発明の実施例の１つであり、本発明の権利範囲を限定することはなく、前記開口角度は建築面または枠体面の角度によって設計を変更することができる。特に、建築面または枠体面２０に合わせるため、およびＪ字形係合部１３’に合わせるため、前記Ｃ字形ポケット部の形状は、Ｃ字形、Ｏ字形、三角形のいずれかから選択できることをここで述べておく。
【００１５】
図３と図４に本発明を柱体上に応用した立体図と断面図をそれぞれ示す。そのうち、本発明は柱体３０上に応用するとき、主に複数のＣ型板１０１、Ｃ型板１０２を利用して柱体３０の外側周囲の建築面または枠体面３１上を囲み、固定して成る。そのうち、前記複数のＣ型板１０１、Ｃ型板１０２は複数のＣ字形ポケット部の開口角度が０度の第１Ｃ型板１０１と複数のＣ字形ポケット部の開口角度が９０度の第２Ｃ型板１０２を指し、これらを交互に配列する方式で柱体３０の外側周囲の建築面または枠体面３１上を囲んで組み立てる。
【００１６】
同時に図５に示すように、前記第１Ｃ型板１０１上の第１Ｊ字形係合部１３１が前記第２Ｃ型板１０２の第２Ｃ字形ポケット部１２２上に固定され、前記第２Ｃ型板１０２の第２Ｊ字形係合部１３２が前記第１Ｃ型板１０１の第１Ｃ字形ポケット部１２１上に固定され、これにより前記第１Ｊ字形係合部１３１、第２Ｊ字形係合部１３２と前記異なる開口角度の第１Ｃ字形ポケット部１２１、第２Ｃ字形ポケット部１２２を組み立てて固定し、複数のＣ型板１０を柱体３０の外側周囲の建築面または枠体面３１上に固定することができる。
【００１７】
前記複数のＣ型板１０を柱体３０の外側周囲の建築面または枠体面３１上に固定するとき、前記複数のＣ型板１０と前記建築面または枠体面３１間に複数の気密室が形成されるため、前記柱体３０は前記複数のＣ型板１０の組み立てにより、音、温度、電気、湿気、水分を隔離する効果を達することができる。このほか、前記気密室内は電源ケーブルの収納空間とすることもでき、前記電源ケーブルが外部に露出され、建築物の外観に影響することがないようにできる。
【００１８】
本発明の組立式ボードの組み立て方法は、複数のＣ型板１０の組み合わせを利用し、一般の建築物の柱体に応用できるほか、各種壁面、床板、屋根、造船コンテナ、冷凍コンテナなどを構成することもでき、かつその建築物の音、温度、電気、湿気、水分を隔離する効果を達することができる。
【００１９】
上述の各名称は本発明の技術内容を描写するために定めたものであり、本発明の権利範囲を制限するものではない。本発明の要旨に基づいた同等の効果を持つ部材の変更や代替はすべて本発明の保護範囲内に含まれるものとする。
【符号の説明】
【００２０】
１０      Ｃ型板
１０’    前方Ｃ型板
１０”    後方Ｃ型板
１０１    第１Ｃ型板
１０２    第２Ｃ型板
１１      表面
１２      Ｃ字形ポケット部
１２’    前部Ｃ字形ポケット部
１２”    後部Ｃ字形ポケット部
１２１    第１Ｃ字形ポケット部
１２２    第２Ｃ字形ポケット部
１３      Ｊ字形係合部
１３’    前部Ｊ字形係合部
１３１    第１Ｊ字形係合部
１３２    第２Ｊ字形係合部
１４      凹型スペース  
２０、３１    建築面または枠体面
３０      柱体
【図１】
2011001687.tif 000003
【図２】
2011001687.tif 000004
【図３】
2011001687.tif 000005
【図４】
2011001687.tif 000006
【図５】
2011001687.tif 000007